(57)【要約】【課題】記録ヘッドに電気信号を伝達する配線や液体を供給する配管の損傷を確実に防止することが可能なインクジェット記録装置を提供する。【解決手段】記録ヘッド８のノズル８１から液滴を射出して記録媒体Ｓに画像を記録するインクジェット記録装置１において、記録ヘッド８に電気信号を伝達する配線１１と、記録ヘッド８に、射出するための液体を供給する配管１５と、配線１１および配管１５を収容するケーブルベア９とを備え、ケーブルベア９は、その内部を区画し、柔軟性を有し表面が平滑な板材で形成された隔壁１８を備え、かつ、配線１１および配管１５は、隔壁１８の表面側および裏面側にそれぞれ収容されている。【選択図】図４
2010058433.tif 000002
【特許請求の範囲】
【請求項１】
記録ヘッドのノズルから液滴を射出して記録媒体に画像を記録するインクジェット記録装置において、
前記記録ヘッドに電気信号を伝達する配線と、
前記記録ヘッドに、射出するための液体を供給する配管と、
前記配線および前記配管を収容するケーブルベアと、
を備え、
前記ケーブルベアは、その内部を区画し、柔軟性を有し表面が平滑な板材で形成された隔壁を備え、かつ、前記配線および前記配管は、前記隔壁の表面側および裏面側にそれぞれ収容されていることを特徴とするインクジェット記録装置。
【請求項２】
前記板材は、ステンレス板で形成されていることを特徴とする請求項１に記載のインクジェット記録装置。
【請求項３】
前記板材は、樹脂板で形成されていることを特徴とする請求項１に記載のインクジェット記録装置。
【請求項４】
前記隔壁は、並設された複数枚の前記板材で形成されていることを特徴とする請求項１から請求項３のいずれか一項に記載のインクジェット記録装置。
【請求項５】
前記並設された複数枚の板材の間に、前記板材とは別体の柔軟性を有する部材が介在されていることを特徴とする請求項４に記載のインクジェット記録装置。
【請求項６】
前記板材は、その表面に平滑層が形成されることにより前記表面の平滑性が確保されていることを特徴とする請求項１から請求項５のいずれか一項に記載のインクジェット記録装置。
【請求項７】
前記ケーブルベアと前記配線との間または前記ケーブルベアと前記配管との間の少なくとも一方に、前記隔壁とは別体で柔軟性を有し表面が平滑な板材が配設されていることを特徴とする請求項１から請求項６のいずれか一項に記載のインクジェット記録装置。
【請求項８】
前記隔壁とは別体で柔軟性を有し表面が平滑な板材は、ステンレス板で形成されていることを特徴とする請求項７に記載のインクジェット記録装置。
【請求項９】
前記隔壁とは別体で柔軟性を有し表面が平滑な板材は、樹脂板で形成されていることを特徴とする請求項７に記載のインクジェット記録装置。
【請求項１０】
前記配管は、前記ケーブルベア内における前記隔壁の表面側および裏面側のうち、前記ケーブルベアの前記記録ヘッド側端部において前記記録ヘッドに近い側に収容されることを特徴とする請求項１から請求項９のいずれか一項に記載のインクジェット記録装置。
【請求項１１】
前記配管はチューブ内に収容されて、前記ケーブルベアに収容されることを特徴とする請求項１から請求項１０のいずれか一項に記載のインクジェット記録装置。
【請求項１２】
前記配管は保護テープで巻回されて、前記ケーブルベアに収容されることを特徴とする請求項１から請求項１０のいずれか一項に記載のインクジェット記録装置。
【発明の詳細な説明】
【技術分野】
【０００１】
本発明は、インクジェット記録装置に係り、特に、ケーブルベアに収容された配線や配管を介して記録ヘッドに電気信号やインク等を供給するインクジェット記録装置に関する。
【背景技術】
【０００２】
紙や布帛等の通常の記録媒体のみならず、樹脂フィルムや金属類等のインク吸収性の乏しい記録媒体に対しても画像を記録することができる画像記録装置として、記録ヘッドの一端面に設けられたノズルからインクを射出して記録媒体上に着弾させるインクジェット記録装置が開発され、現在、その技術は種々の技術分野で応用されている。
【０００３】
このようなインクジェット記録装置では、記録ヘッドに電気信号や電力を伝達する配線や記録ヘッドのアースをとるためのアース線（以下、あわせて配線という。）や、記録ヘッドのノズルから射出する液体を記録ヘッドに供給する配管が、記録ヘッドに接続されている。そして、インクジェット記録装置には、通常、複数の記録ヘッドが搭載され、特に複数の色インクを用いてカラーの画像記録を行う場合には、記録ヘッドの数が比較的多くなる。
【０００４】
そのため、これらの複数の記録ヘッドに接続される配線や配管の数が多くなり、それらが絡まり合い、装置の組み立て時には組み立ての邪魔になり、また、装置の稼働時には、配線が断線したり、配管内のインク供給圧が変動するなどして記録ヘッドへのインク供給が正常に行えなくなる等の障害となる。特に、インクジェット記録装置がシリアルヘッド方式の装置である場合には、記録ヘッドがキャリッジに搭載されて主走査方向に往復移動するため、配管や配線が擦れ合って配線が断線したり、配管が損傷して穴が開き配管からインクが漏れ出す等の問題を生じる。
【０００５】
そこで、例えば特許文献１では、複数の配管を接着したり一体形成したりして並設し、配線としてフレキシブルなプリント基板を用い、それらを並べて配設することが提案されている。また、特許文献２や特許文献３では、結束具で複数の配管を横並びにして束ね、フラットケーブルと横並びの配管の間にスポンジ層等の中間材を介在させることが提案されている。
【特許文献１】特開平１１−２８６１０１号公報
【特許文献２】特開２００１−１７１１４５号公報
【特許文献３】特開２００２−２００７６８号公報
【発明の開示】
【発明が解決しようとする課題】
【０００６】
しかしながら、特許文献１に記載の発明は、記録ヘッドの数が少なく比較的少数の配管を用いる家庭用のプリンタ等には適用可能であるが、記録ヘッドの数が多く、配管や配線が多数存在し、しかも、キャリッジの往復移動の範囲が広く、長い配管や配線が配設される大型の業務用等のインクジェット記録装置にこれを適用することは実用上困難である。
【０００７】
また、特許文献２や特許文献３に記載の発明では、配管が結束具で緊縛されるため、キャリッジの往復移動等にあわせて配管が動く際に、配管と結束具とが擦れ合うため、結束具による緊縛部分で配管が損傷して配管からインクが漏れ出す等の問題を生じてしまう場合がある。
【０００８】
さらに、特許文献１〜３では、配線として、フレキシブルなプリント基板等を用いることが提案されているが、記録ヘッドに接続される配線としては、これに限定されずに通常のケーブル状の結線等を用いることができるように構成されていれば便利である。
【０００９】
本発明は、上記の問題点を鑑みてなされたものであり、記録ヘッドに電気信号を伝達する配線や液体を供給する配管の損傷を確実に防止することが可能なインクジェット記録装置を提供することを目的とする。
【課題を解決するための手段】
【００１０】
前記の問題を解決するために、本発明は、
記録ヘッドのノズルから液滴を射出して記録媒体に画像を記録するインクジェット記録装置において、
前記記録ヘッドに電気信号を伝達する配線と、
前記記録ヘッドに、射出するための液体を供給する配管と、
前記配線および前記配管を収容するケーブルベアと、
を備え、
前記ケーブルベアは、その内部を区画し、柔軟性を有し表面が平滑な板材で形成された隔壁を備え、かつ、前記配線および前記配管は、前記隔壁の表面側および裏面側にそれぞれ収容されていることを特徴とする。
【発明の効果】
【００１１】
本発明のインクジェット記録装置によれば、記録ヘッドに電気信号を伝達する配線と、記録ヘッドに液体を供給する配管とをケーブルベア内に収容し、ケーブルベア内に柔軟性を有し表面が平滑な板材で形成された隔壁を設けて、配線および配管を隔壁の表面側および裏面側にそれぞれ収容するようにしたため、配線と配管、配線同士或いは配管同士が絡み合って擦れ合い、或いは配線や配管と隔壁とが擦れ合うことを的確に回避して、配線や配管が破断したり、配管が損傷して穴が開きインクが漏れ出すことを確実に防止することが可能となる。
【００１２】
また、ケーブルベアで配線や配管を緊縛しなくても、配線や配管のケーブルベア内の位置は適切に維持されるため、ケーブルベアによって配線や配管を緊縛して配線や配管が損傷することを有効に防止することが可能となる。
【発明を実施するための最良の形態】
【００１３】
以下、本発明に係るインクジェット記録装置の実施の形態について、図面を参照して説明する。
【００１４】
本実施形態に係るインクジェット記録装置１は、図１に示すように、主に、搬送ユニット２と、スキャンユニット３と、インクラック４と、コンピュータ５とで構成されている。
【００１５】
搬送ユニット２の上部には、図示しない記録媒体を裏面側から支持しながら図中矢印Ｙで示される副走査方向Ｙに搬送するための無端状の搬送ベルト２１が配設されている。搬送ベルト２１の代わりに、平板状のプラテンを用いることも可能である。なお、本実施形態では、搬送ユニット２とスキャンユニット３とは別体として形成されているが、一体的に形成することも可能である。
【００１６】
記録媒体としては、前述したように、紙や布帛のほか、樹脂フィルムや金属類等を用いることが可能であり、特に限定されない。
【００１７】
搬送ユニット２の搬送ベルト２１上方には、スキャンユニット３が配設されているが、スキャンユニット３については、後で詳しく説明する。
【００１８】
本実施形態では、スキャンユニット３の背後には、後述する複数の記録ヘッド８にそれぞれ供給する各色のインク（液体）を貯蔵するインクタンク４１を備えるインクラック４が配置されている。各インクタンク４１からは、後述する配管１５を介して各記録ヘッド８にインクがそれぞれ供給されるようになっている。
【００１９】
また、スキャンユニット３の下方には、インクジェット記録装置１を構成する各部を制御するためのコンピュータ５が配設されており、後述する配線１１を介してコンピュータ５から各記録ヘッド８に電気信号を伝達されるようになっている。
【００２０】
図２は、スキャンユニット内部の主要部を表す図である。なお、実際にはスキャンユニット３の図中左側の台座部上には、インクジェット記録装置１の稼働停止中に記録ヘッド８のノズル面８１ａをキャップして保湿するヘッド保湿ユニットがあり、図中右側の台座部上には、記録ヘッド８のメンテナンスを行うヘッドクリーニング機構等が配置されたメンテナンスユニットがあるが、図２中では図示が省略されている。
【００２１】
スキャンユニット３の内部には、棒状のキャリッジレール６が副走査方向Ｙに直交し図中矢印Ｘで示される主走査方向Ｘに延在するように配設されており、キャリッジレール６には、略筐体状のキャリッジ７がキャリッジレール６に沿って主走査方向Ｘに往復移動自在に支持されている。
【００２２】
キャリッジ７には、図３に示すように、イエロー（Ｙ）、マゼンタ（Ｍ）、シアン（Ｃ）、ブラック（Ｋ）等の各色のインクを射出する複数のノズル８１が配列されたノズル面８１ａを有する記録ヘッド８が複数搭載されており、各記録ヘッド８のノズル８１から搬送ユニット２の搬送ベルト２１上の記録媒体Ｓに対して各色のインクの液滴が射出されるようになっている。
【００２３】
また、キャリッジ７の上端部分には、主走査方向Ｘに往復移動するキャリッジ７の動きにフレキシブルに変形して追従し、内部に収容した配線１１や配管１５を保護するケーブルベア９が連結されている。本実施形態では、ケーブルベア９は、図４に示すように、略角管状の小片９ａを互いに回動自在に連結部材９ｂで連結してキャタピラ状に形成されている。
【００２４】
キャリッジ７の上端部分は２層に形成されており、上層側には、各記録ヘッド８を駆動制御するためのヘッド駆動回路基板１０等が配設されている。ヘッド駆動回路基板１０等には、ケーブルベア９内に収容されている配線１１が延設されてコネクタ１２等を介して接続されている。
【００２５】
この場合、配線１１として、複数の電線が１つのケーブルに束ねられた束線が用いられており、配線１１は、記録ヘッド８を駆動するヘッド駆動回路基板１０等に電力や電気信号等を伝達するようになっている。また、配線１１には、それらのアース線も含まれている。
【００２６】
また、キャリッジ７の上端部分の下層側には、各記録ヘッド８にインクを供給するための複数のインク供給管１３が配されており、各インク供給管１３には、ジョイント１４を介してケーブルベア９内に収容されている各配管１５に連結されている。配管１５は、このようにインク供給管１３と連結されることで、ノズル８１から射出するインクを記録ヘッド８に供給するようになっている。
【００２７】
なお、ヘッド駆動回路基板１０等は通電により加熱し、ヘッド駆動回路基板１０等の周囲の空気は温められて上昇する。また、配管１５やインク供給管１３の内部でインクが温められると記録ヘッド８のノズル８１からのインクの射出が不安定になる現象が生じる。そのため、ヘッド駆動回路基板１０等により温められた空気が配管１５やインク供給管１３内のインクを温めないように、本実施形態のように上層側にヘッド駆動回路基板１０等を配設し、下層側にインク供給管１３を配設することが好ましい。
【００２８】
本実施形態では、ケーブルベア９内には計８本の配管１５が収容されているが、各配管１５は所定の本数ごとにそれぞれ例えば樹脂製のチューブ１６に収容されている。図５に示すように、各配管１５を所定の本数ごとにそれぞれ保護テープ１７で巻回するように構成することも可能である。このように、配管１５をチューブ１６に収容したり保護テープ１７で巻回することで、配管１５同士が絡み合ったり、擦れ合ったりして損傷することを防止することが可能となるとともに、組み立て易くなり組立性が向上する。
【００２９】
また、図６の断面図に示すように、本実施形態では、ケーブルベア９内の計８本の配管１５がそれぞれ３本のチューブ１６に３本、２本、３本にまとめられて収容されている。このように、複数のチューブ１６に収容する配管１５の本数をできるだけ均等にすることで、ケーブルベア９内での重量バランスを安定させることができ、ケーブルベア９がキャリッジ７の往復移動にスムーズに追従するようになるため、配管１５や配線１１の損傷等の発生頻度をより低減させることが可能となる。なお、図６では、配線１１の内部構造は記載されていないが、前述したように、各配線１１内にはそれぞれ複数の電線が束ねられている。
【００３０】
図４や図６に示すように、ケーブルベア９には、その内部を区画する隔壁１８が設けられており、配線１１はケーブルベア９内の隔壁１８の表面側に、配管１５やチューブ１６はケーブルベア９内の隔壁１８の裏面側にそれぞれ収容されている。
【００３１】
なお、配線１１、配管１５、チューブ１６、隔壁１８は、各々独立してキャリッジ７に固定されている。すなわち、配線１１は、図示しない束線クランプによりキャリッジ７に固定されている。また、配管１５は、実際にはその外側に、配管１５の外径より小さい内径を有し柔軟性があるたとえばシリコンチューブ等の図示しない被覆材が被せられており、図４に示した固定具Ａとその被覆材とが固定され、固定具Ａがキャリッジ７に固定されることにより、各配管１５がキャリッジ７に固定されるようになっている。
【００３２】
また、チューブ１６は、図４で図示が省略されている固定部材によってキャリッジ７に固定されている。チューブ１６を固定するために、固定部材にはスポンジ状の緩衝材と両面粘着テープが貼られている。また、隔壁１８は、図示しないネジによってキャリッジ７に固定されている。
【００３３】
そして、上記のように、キャリッジ７の上端部分の２層構造では、上層側にヘッド駆動回路基板１０等が配設され、下層側にインク供給管１３が配設されているため、配線１１および配管１５は、ケーブルベア９内の隔壁１８の上面側および下面側にそれぞれ収容されていることが好ましく、また、このような位置関係になるように、ケーブルベア９をキャリッジ７に取り付けることが好ましい。
【００３４】
上記のようなキャリッジ７の上端部分の２層構造に対して、配線１１をケーブルベア９内の隔壁１８の下面側に収容し、配管１５をケーブルベア９内の隔壁１８の上面側に収容するように構成すると、配線１１と配管１５とが交差する状態となり、それらの間に擦れ合いが生じかねないため、通常、このような配置はとられない。
【００３５】
このように、配管１５は、ケーブルベア９の端部においてケーブルベア９内の隔壁１８の記録ヘッド８に近い側、すなわち本実施形態では隔壁１８の下面側に収容されていることが好ましい。
【００３６】
また、これは、本実施形態のようにケーブルベア９が上下方向に曲がったり伸びたりする場合だけでなく、前述した特許文献１に記載のインクジェット記録装置のようにケーブルベア９が水平方向に曲がったり伸びたりする場合も同様に、配管１５がケーブルベア９の端部においてケーブルベア９内の隔壁１８の記録ヘッド８に近い側に収容されていれば、配管１５と配線１１とが交差することを回避することが可能となり、好ましい。
【００３７】
隔壁１８は、柔軟性を有し、表面が平滑な板材で形成されており、ケーブルベア９のフレキシブルな変形に柔軟に追従するようになっている。
【００３８】
本実施形態では、隔壁１８はステンレス板や銅板で形成されている。ステンレス板や銅板は、通常、圧延加工により製造されるため、表面が平滑であるが、表面が平滑でなければ平滑化処理が施されることが好ましい。隔壁１８をステンレス板で形成すれば、隔壁１８が錆び難くなり、錆により配管１５等が擦られて損傷することを防止することができ、好ましい。また、隔壁１８をステンレス板や銅板等の金属板で構成することで、隔壁１８をヘッド駆動回路基板１０等のアース線として用いることが可能となる。
【００３９】
また、隔壁１８をテフロン（登録商標）やＰＥＴ（polyethylene terephthalate）等の表面が平滑な樹脂板で形成することも可能である。隔壁１８を金属板で形成する場合を含め、隔壁１８の表面を平滑にすることで、配線１１や配管１５（またはチューブ１６等）が隔壁１８と擦れ合って破断したり損傷したりすることを防止することが可能となる。
【００４０】
さらに、図示を省略するが、金属板で構成された隔壁１８の一方側の面或いは表裏両面を樹脂でコーティングする等して、隔壁１８の表面に平滑層を形成することも可能である。このように構成すれば、隔壁１８の表面の平滑性を確保することが可能となるとともに、隔壁１８をヘッド駆動回路基板１０等のアース線として用いることが可能となる。
【００４１】
また、図７に示すように、隔壁１８を、並設された複数枚の板材（金属板や樹脂板）１８ａ、１８ｂで形成することも可能であり、さらに、図８に示すように、並設された複数枚の板材１８ａ、１８ｂの間に、樹脂板やスポンジ等の、板材１８とは別体の柔軟性を有する部材１９（以下、柔軟材１９という。）を介在させて隔壁１８を形成することも可能である。
【００４２】
ケーブルベア９は、キャリッジ７のキャリッジレール６に沿った主走査方向Ｘへの往復移動に追従して、図９に示すように曲がったり伸びたりするが、ケーブルベア９が曲がる部分では、配線１１が隔壁１８に対して相対的に動き、配管１５も隔壁１８に対して相対的に動く。
【００４３】
その際、図７に示したように、隔壁１８を複数枚の板材１８ａ、１８ｂで形成しておけば、隔壁１８を１枚だけ設ける場合に比べて、配線１１の板材１８ａに対する相対的な動きや配管１５の板材１８ｂに対する相対的な動きが小さくなり、配線１１や配管１５の板材（隔壁）１８ａ、１８ｂに対する擦れの程度を小さくすることができる。
【００４４】
また、図８に示したように、板材１８ａ、１８ｂの間に柔軟材１９を介在させることで、板材１８ａと板材１８ｂとの摩擦が生じることを防止することが可能となり、板材１８ａ、１８ｂの動きがスムーズになるとともに、板材１８ａ、１８ｂの間に生じる摩擦音を消音することが可能となる。なお、板材１８ａ、１８ｂと柔軟材１９とは接着されず、それぞれが自由に動けるようになっている。
【００４５】
一方、ケーブルベア９と配線１１との間や、ケーブルベア９と配管１５との間にも摩擦が生じ得る。そこで、図１０に示すように、それらの間にそれぞれ隔壁１８とは別体で柔軟性を有し表面が平滑な板材２０（以下、平滑板２０という。）を配設することが好ましい。このように構成すれば、配線１１や配管１５とケーブルベア９とが擦れ合うことを防止することが可能となり、配線１１や配管１５が破断、損傷等することを防止することが可能となる。
【００４６】
なお、平滑板２０は、隔壁１８と同様に、表面が平滑なステンレス板や樹脂板で形成されていることが好ましい。また、平滑板２０を、ケーブルベア９と配線１１との間、或いはケーブルベア９と配管１５との間の一方にのみ設けることも可能である。
【００４７】
次に、本実施形態に係るインクジェット記録装置１の作用について説明する。
【００４８】
インクジェット記録装置１では、通常の画像記録時においては、記録媒体Ｓ（図３参照）上でキャリッジ７がキャリッジレール６に沿って主走査方向Ｘに移動し、キャリッジ６の移動中に、各記録ヘッド８の各ノズル８１からインクの液滴を射出信号に従って射出して、記録媒体Ｓ上に主走査方向Ｘに１列分の画像を記録する。
【００４９】
そして、搬送ベルト２１を動作させて記録媒体Ｓを所定量だけ副走査方向Ｙに移動させ、キャリッジ７を主走査方向Ｘに再び移動させながら各記録ヘッド８の各ノズル８１からインクの液滴を射出信号に従って射出して、記録媒体Ｓ上に画像を記録する。この記録ヘッド８の主走査方向Ｘへの走査と搬送ベルト２１による記録媒体Ｓの副走査方向Ｙへの搬送を交互に繰り返しながら、記録媒体Ｓに画像が記録される。
【００５０】
キャリッジ７が主走査方向Ｘに往復移動する際、図９に示したように、キャリッジ７に接続されたケーブルベア９が、キャリッジ７の往復移動に追従して曲がったり伸びたりする。しかし、図４や図６等に示したように、ケーブルベア９内には、その内部を区画する隔壁１８が設けられており、配線１１はケーブルベア９内の隔壁１８の表面側に、配管１５はケーブルベア９内の隔壁１８の裏面側にそれぞれ収容されているため、ケーブルベア９が曲がったり伸びたりしても配線１１と配管１５とが絡み合うことはない。そのため、配線１１と配管１５、配線１１同士、或いは配管１５同士が絡み合い擦れ合って破断したり、配管１５が損傷して穴が開きインクが漏れ出す等の問題は生じない。
【００５１】
また、隔壁１８は、柔軟性を有するため、ケーブルベア９の動きに柔軟に追従するとともに、平滑な板材で形成されているため、配線１１や配管１５と摺動する状態になっても摩擦を生じることはなく、或いは摩擦を生じたとしても非常に小さい摩擦しか生じない。そのため、配線１１や配管１５と隔壁１８との摺動によってそれらが破断したり、配管１５が損傷して穴が開きインクが漏れ出す等の問題も生じることがない。
【００５２】
さらに、インクジェット記録装置１の組み立て時においても、配線１１や配管１５の絡み合いが生じ得るが、この場合も、やはりケーブルベア９内の隔壁１８の表面側に配線１１を挿通し、隔壁１８の裏面側に配管１５を挿通してそれぞれ収容することで、それらの絡み合いを回避することが可能となり、それらが絡み合い擦れ合って破断したり損傷してインクが漏れ出す等の問題を生じることはない。
【００５３】
以上のように、本実施形態に係るインクジェット記録装置１によれば、記録ヘッド８に電気信号を伝達する配線１１と、記録ヘッド８に液体（インク）を供給する配管１５とをケーブルベア９内に収容し、ケーブルベア９内に柔軟性を有し表面が平滑な板材で形成された隔壁１８を設けて、配線１１および配管１５を隔壁１８の表面側および裏面側にそれぞれ収容するように構成した。
【００５４】
そのため、配線１１と配管１５、配線１１同士或いは配管１５同士が絡み合って擦れ合い、或いは配線１１や配管１５と隔壁１８とが擦れ合うことを的確に回避して、配線１１や配管１５が破断したり、配管１５が損傷して穴が開きインクが漏れ出すことを確実に防止することが可能となる。
【００５５】
また、ケーブルベア９がキャリッジ７の往復移動に追従して動くと、ケーブルベア９内で配線１１や配管１５も動くが、例えば図６に示した配線１１同士の左右の位置が入れ替わったり、配管１５同士の左右の位置が入れ替わったりしない限り、配線１１や配管１５がケーブルベア９内で動くことは許容される。
【００５６】
このように、本実施形態に係るインクジェット記録装置１では、配線１１や配管１５はケーブルベア９と隔壁１８によって緊縛されることがなく、それらを緊縛する必要もない。そのため、配線１１や配管１５とケーブルベア９とが擦れ合ったとしても、ケーブルベア９がそれらを緊縛する場合に比べれば擦れ合いの程度は小さく、ケーブルベア９による配線１１や配管１５の損傷を有効に防止することが可能となる。
【００５７】
なお、上記の実施形態では、インクジェット記録装置が、記録ヘッドがキャリッジに搭載されて主走査方向に往復移動しながら画像記録を行うシリアルヘッド方式のインクジェット記録装置である場合について説明したが、本発明はこれに限定されず、位置固定された記録ヘッドから下方を搬送される記録媒体にインクを吐出して画像記録を行うラインヘッド方式のインクジェット記録装置にも適用される。
【００５８】
ラインヘッド方式のインクジェット記録装置においても、記録ヘッドに電気信号を伝達する配線やインク等の液体を供給する配管がケーブルベアに収容されて記録ヘッドに接続されているが、装置の組み立て時や、メンテナンス時に記録ヘッドが記録位置から移動される際などに、配線や配管が絡まり合う可能性がある。その際、本発明が適用されていれば、上記の実施形態のシリアルヘッド方式のインクジェット記録装置１の場合と同様の効果を得ることができる。
【図面の簡単な説明】
【００５９】
【図１】本実施形態に係るインクジェット記録装置の全体構成を表す図である。
【図２】図１のインクジェット記録装置のスキャンユニット内部の主要部を表す図である。
【図３】図２のスキャンユニットにおけるキャリッジ部分の構成を表す図である。
【図４】キャリッジの上端部分およびそれに連結されたケーブルベア等の構成を表す図である。
【図５】配管を巻回する保護テープを表す図である。
【図６】ケーブルベア内の配線、配管および隔壁を表す図４のＺ−Ｚ線に沿う断面図である。
【図７】隔壁を複数枚の板材で形成した場合のケーブルベアの断面図である。
【図８】図７の複数枚の板材の間に柔軟材を介在させた場合のケーブルベアの断面図である。
【図９】キャリッジの往復移動に追従して変形するケーブルベアと隔壁とを表す図である。
【図１０】配線−配管間の隔壁のほかにケーブルベア−配線間やケーブルベア−配管間に平滑板を配設した場合のケーブルベアの断面図である。
【符号の説明】
【００６０】
１  インクジェット記録装置
８  記録ヘッド
９  ケーブルベア
１１  配線
１５  配管
１６  チューブ
１７  保護テープ
１８  隔壁
１８ａ、１８ｂ  板材
１９  柔軟材（柔軟性を有する部材）
２０  平滑板（隔壁とは別体で柔軟性を有し表面が平滑な板材）
８１  ノズル
Ｓ  記録媒体
【図１】
2010058433.tif 000003
【図２】
2010058433.tif 000004
【図３】
2010058433.tif 000005
【図４】
2010058433.tif 000006
【図５】
2010058433.tif 000007
【図６】
2010058433.tif 000008
【図７】
2010058433.tif 000009
【図８】
2010058433.tif 000010
【図９】
2010058433.tif 000011
【図１０】
2010058433.tif 000012